(57)【要約】【課題】表面にタイルを大きい接着強度で貼り付けた構造の、施工性の良い外断熱構造を提供する。【解決手段】コンクリート壁１の外面にアンカーボルト４によって固定された断熱材２ａ、外層材２ｂを備えた外断熱構造において、外層材２ｂの表面にネット６を配置し、そのネット６をワッシャ１１と押えねじ１２によってアンカーボルト４の頭部に固定し、外層材２ｂの表面にネット６やワッシャ１１等を覆うようにモルタルを塗布してモルタル層８を形成し、その表面にタイル９を貼り付けた構成とする。【選択図】　図１
2004044092.tif 000002
【特許請求の範囲】
【請求項１】
コンクリート壁の外面に形成される外断熱構造であって、前記コンクリート壁の外面にアンカーボルトによって固定された断熱材及び外層材と、外層材の表面に配置されたネットと、該ネットを前記アンカーボルトの頭部に固定するネット固定金具と、前記外層材表面に、前記ネット及びネット固定金具を覆うように形成されたモルタル層と、その表面に貼り付けられたタイルとを備えた外断熱構造。
【請求項２】
前記アンカーボルトが、その頂面を前記外層材の表面と同一位置若しくはそれより引っ込んだ位置とするように取り付けられており、前記ネット固定金具が、前記ネットを押さえるワッシャと該ワッシャを前記アンカーボルトの頭部にねじ止めする押えねじで構成され、そのワッシャと押えねじとは、前記ワッシャの表面と押えねじの頂面とがほぼ同一平面となる形態で前記アンカーボルトに固定される構造であることを特徴とする請求項１記載の外断熱構造。
【請求項３】
前記断熱材及び外層材が、予め一体化された断熱複合板であり、コンクリート壁の打設時に用いられる永久型枠であることを特徴とする請求項１又は２記載の外断熱構造。
【請求項４】
断熱材と外層材を一体化した構造の断熱複合板に、アンカーとアンカーボルトを取り付け、その断熱複合板をコンクリート打設用の型枠として組み立て且つ支保工で支え、コンクリートを打設し、硬化した後、支保工を取り外し、次いで前記断熱複合板の表面にネットを貼り、その上にネット固定用のワッシャを配置し、押えねじによって前記アンカーボルト頭部に固定し、その後、前記断熱複合板の表面にモルタルを塗布し、タイルを貼ることを特徴とする外断熱構造の施工方法。
【請求項５】
前記押えねじを、コンクリート打設前に、前記アンカーボルトの頭部に取り付けておくことを特徴とする請求項４記載の外断熱構造の施工方法。
【発明の詳細な説明】
【０００１】
【発明の属する技術分野】
本発明は、ビル・家屋などの建物のコンクリート壁の外面に形成される外断熱構造及びその施工方法に関する。
【０００２】
【従来の技術】
従来より、コンクリート壁の外側に断熱層を設けた外断熱構造が知られている。そして、この断熱層を形成するために、断熱材と外層材とを一体化した断熱複合板を永久型枠として用い、コンクリート打設後はそのまま、コンクリート壁の外層として残す工法が、省力化工法として近年増加している（例えば、実開平４−１０５３６４号公報参照）。通常、この工法で形成した外断熱構造の表面仕上げは、塗装仕上げであった。しかしながら、単に塗装仕上げでは、意匠的には高級感がなく、改善が要望されていた。そこで、現場施工にて、外層材の表面に接着用のモルタルを塗布し、その上にタイルを貼り付けることで高級感を出すことが考えられる。ところが、単にモルタルを塗布してタイルを貼り付けただけでは、タイルの接着強度が小さく、タイルが剥がれて脱落する恐れがあるという問題がある。特に、外断熱構造では表面のタイルが屋外に露出しているため、ビル外壁などではタイル表面に強い風がふき、その風による負圧によってタイルが外側に引っ張られ、タイル剥がれや下地板の破損を生じるおそれがある。
【０００３】
一方、特開平１１−３１５６０１号公報には、断熱材と仕上げ材としてタイルを貼ったセメント系硬質板とを接合し、永久型枠として利用する工法が提案されている。しかしながら、この工法では、仕上げ後タイルの抜けているところを埋めなければならないとか、タイルの仕上げ面が型枠として使用中に傷がつかないよう養生をしなければならないとか、傷がついたときはその部分を取り替えなければならないなど、手間がかかるという問題があった。
【０００４】
【発明が解決しようとする課題】
本発明はかかる状況に鑑みてなされたもので、表面にタイルを大きい接着強度で貼り付けた構造で、且つ施工性の良い外断熱構造並びにその施工方法を提供することを課題とする。
【０００５】
【課題を解決するための手段】
本発明は、コンクリート壁の外面にアンカーボルトによって固定された断熱材及び外層材を備えた外断熱構造において、外層材表面にタイルを大きい接着強度で貼り付けるために、前記外層材の表面にネットを配置し、そのネットをネット固定金具によって前記アンカーボルトの頭部に固定しておき、外層材表面に、前記ネット及びネット固定金具を覆うようにモルタルを塗布してモルタル層を形成し、その表面にタイルを貼り付ける構成としたものである。この構成によって、ネットが外層材表面に強固に固定され且つそのネットがモルタル層に対してアンカーの役割を果たすためタイルの外層材表面に対する接着強度を大きくでき、しかもネットがタイル剥離応力を緩和する作用も果たすためタイル剥離を一層確実に防止できる。また、ネットの固定に、断熱材及び外層材を固定しているアンカーボルトを利用したことで、ネットの固定のために新たにアンカーボルトを設ける必要がなく、現場での施工が容易となる。
【０００６】
ここで、前記アンカーボルトを、その頂面が前記外層材の表面と同一位置若しくはそれより引っ込んだ位置となるように取り付け、前記ネット固定金具を、前記ネットを押さえるワッシャと該ワッシャを前記アンカーボルトの頭部にねじ止めする押えねじで構成し、そのワッシャと押えねじとを、前記ワッシャの表面と押えねじの頂面とがほぼ同一平面となる形態で前記アンカーボルトに固定する構造とすることが好ましい。この構造とすることで、ワッシャ及び押えねじの表面が面一となり、その上にモルタルを塗布して形成するモルタル層の表面を容易に平坦とでき、それにタイルを貼ることで、タイルをきれいに同一平面上に貼り付けることができる。
【０００７】
また、本発明に使用する断熱材及び外層材は、予め一体化された断熱複合板で且つコンクリート壁の打設時に永久型枠として用いたものとすることが好ましい。この構成により、永久型枠を用いた省力施工が可能となると共に、密着工法なので外側のコンクリート中性化が防止でき、コンクリート躯体の耐久性を向上させることができる。
【０００８】
本発明の外断熱構造の施工方法は、断熱材と外層材を一体化した構造の断熱複合板に、アンカーとアンカーボルトを取り付け、その断熱複合板をコンクリート打設用の型枠として組み立て且つ支保工で支え、コンクリートを打設し、硬化した後、支保工を取り外し、次いで前記断熱複合板の表面にネットを貼り、その上にネット固定用のワッシャを配置し、押えねじによってアンカーボルト頭部に固定し、その後、前記断熱複合板の表面にモルタルを塗布し、タイルを貼るという構成としたものであり、この構成により、外面にタイルを大きい接着強度で貼り付けた外断熱構造を形成できる。
【０００９】
ここで、前記押えねじを、コンクリート打設前に、前記アンカーボルトの頭部に取り付けておくことをが好ましい。この構成とすると、アンカーボルトの頭部に形成しているねじ穴にごみ等が入るとか、水が付着して錆びるといったトラブルを回避できる。
【００１０】
【発明の実施の形態】
以下、図面を参照して本発明の好適な実施の形態を説明する。図１は本発明の実施の形態に係る外断熱構造を示す概略断面図、図２（ａ）はこの外断熱構造に用いるネット固定金具を構成するワッシャ及び押えねじの概略断面図及び側面図、図２（ｂ）はそのワッシャを矢印Ａ−Ａ方向に見た概略正面図であり、１はコンクリート壁、２はそのコンクリート壁１の外面に固着された断熱複合板であり、繊維積層体、樹脂発泡体などで構成された断熱材２ａとその表面に一体化されたセメント板などの外層材２ｂを備えている。この断熱複合板２は永久型枠として用いたものであり、コンクリート壁１への固着を確実とするため、アンカー３とアンカーボルト４が取り付けられ、アンカー３がコンクリート壁１内に埋め込まれている。ここで用いるアンカー３は特に限定するものではないが、実開平４−１０５３６４号公報に記載のものを用いるのが好ましい。アンカーボルト４は頭部４ａの裏面にテーパを形成したさらボルトであり、頭部４ａの頂面４ｂの中心に六角レンチに嵌合する六角穴４ｃを形成し、更にその底面にねじ穴４ｄを形成している。このアンカーボルト４は、その頂面４ｂが外層材２ｂの表面と同一位置若しくはそれより引っ込んだ位置となるように取り付けられている。
【００１１】
６は外層材２ｂの表面に接着されたネット、７はネット６をアンカーボルト４に固定するためのネット固定金具、８は、下地モルタル層８ａと接着モルタル層８ｂからなるモルタル層、９はモルタル層８の表面に貼り付けられたタイルである。ネット６はモルタル層８に対するアンカー作用を発揮させるためのものである。ネット６としては、その上にモルタルを塗布してモルタル層８を形成する際にネット６内にモルタルが良好に進入することができるよう、適度な空隙を有する繊維材料が使用され、具体的には、網状のもの、空隙の多い不織布などが使用される。ネット固定金具７は、ネットを押さえるためのワッシャ１１と、そのワッシャ１１をアンカーボルト４の頭部にねじ止めする押えねじ１２を備えている。ここで、押えねじ１２には、頭部１２ａの裏面をテーパ状としたさらねじが用いられている。ワッシャ１１は、広い面積でネットを押さえることができるよう広い面積の円板状のものであり、ネット６を適当に露出させるための多数の穴１４を形成している。また、ワッシャ１１の中心には、押えねじ１２の頭部裏面のテーパ面に適合するテーパ部１１ａが形成されている。このテーパ部１１ａの大きさは、図１に示すように、ワッシャ１１を押えねじ１２でアンカーボルト４の頭部に固定した時、ワッシャ１１の表面と押えねじ１２の頭部の頂面１２ｂとがほぼ同一平面となるように定められている。図２（ｂ）において、ワッシャ１１に形成される多数の穴１４のうち、テーパ部１１ａの近傍の一つの穴１４ａは、押えねじ１２の頭部１２ａを通すことができる大きさに作られており、且つその穴１４ａとテーパ部１１ａの中心の穴とは、押えねじ１２の軸部を通すことができる幅の溝１５で連結されている。この穴１４ａと溝１５を利用することで、押えねじ１２をアンカーボルト４から取り外さなくても、単にゆるめるのみで、ワッシャ１１の着脱を行うことができる。
【００１２】
図１において、モルタル層８のうちの下地モルタル層８ａは、外層材２ｂに対する接着性に優れた配合で且つ耐水性に優れたモルタルで形成される。また、接着モルタル層８ｂはタイル９に対する接着性に優れた配合のモルタルで形成される。これにより、タイル９の外層材２ｂに対する接着性を良好とできる。
【００１３】
次に、上記構成の外断熱構造の施工方法を説明する。まず、図３（ａ）に示すように、断熱材２ａと外層材２ｂとを一体化した構造の断熱複合板２に、アンカー３とアンカーボルト４を取り付ける。このアンカーボルト４には押えねじ１２をねじ込んでおく。次に、この断熱複合板２をコンクリート壁を打設するための型枠としてコンクリート壁の外面側に配置して組み立て且つ支保工（図示せず）で支え、コンクリートを打設し、硬化させる。これにより図３（ｂ）に示すように、コンクリート壁１が形成され、その外面に断熱複合板２が密着した状態で配置され且つアンカー３及びアンカーボルト４で一層確実にコンクリート壁１に固定される。その後、支保工を取り外し、断熱複合板２の表面に接着剤を用いてネット６を貼る。次に、アンカーボルト４に取り付けている押えねじ１２をゆるめ、ワッシャ１１を押えねじ１２に保持させ、その後、押えねじ１２を締め込んで行く。これにより、図４（ａ）に示すように、ワッシャ１１が押えねじ１２によってアンカーボルト４の頭部に固定され、ワッシャ１１はネット６を断熱複合板２の表面に押し付け、固定する。その後、外層材２ｂの表面に、ネット６及びワッシャ１１、押えねじ１２等を覆うようにモルタルを塗布して下地モルタル層８ａを形成し、その上に図４（ｂ）に示すように、接着モルタルを塗布して接着モルタル層８ｂを形成し、その上にタイル９を貼り付けて行く。以上により、図１に示す、表面にタイル９を貼った外断熱構造が形成される。
【００１４】
以上のようにして形成した外断熱構造は、表面がタイル貼りであるので、壁面に高級感を与えている。また、表面のタイル９はネット６及びモルタル層８で断熱複合板２の表面に強固に接着されている。しかも、ネット６はワッシャ１１及び押えねじ１２でアンカーボルト４に固定されているため、ネット６の固定が確実で、剥がれることはない。かくして、この外断熱構造をビルの外壁に用いた場合において、タイル９が強い風による負圧によって外側に引っ張られても剥がれることはなく、長期間に渡って使用できる。
【００１５】
【発明の効果】
以上に説明したように、本発明の外断熱構造は、コンクリート壁の外面にアンカーボルトによって固定された断熱材及び外層材を備えた外断熱構造において、その外層材の表面にネットを配置し、そのネットをネット固定金具によって前記アンカーボルトの頭部に固定し、外層材表面に、ネット及びネット固定金具を覆うようにモルタルを塗布してタイルを貼り付ける構成としたことにより、タイルの外層材に対する接着強度を大きくでき、壁表面にタイルによる高級感を与えると共に長期間に渡ってタイルが剥がれることなく、ビルの外壁等に好適に使用でき、しかもネットの固定は既設のアンカーボルトを利用したので施工性が良いといった効果を有している。
【００１６】
また、本発明の施工方法は、断熱材と外層材を一体化した構造の断熱複合板に、アンカーとアンカーボルトを取り付け、その断熱複合板をコンクリート打設用の型枠として組み立て且つ支保工で支え、コンクリートを打設し、硬化した後、支保工を取り外し、次いで前記断熱複合板の表面にネットを貼り、その上にネット固定用のワッシャを配置し、押えねじによってアンカーボルト頭部に固定し、その後、モルタルを塗布し、タイルを貼るという構成としたことにより、表面にタイルを大きい接着強度で貼り付けた外断熱構造を、施工性良く形成できるという効果を有している。
【図面の簡単な説明】
【図１】本発明の実施の形態に係る外断熱構造を示す概略断面図
【図２】（ａ）はネット固定金具のワッシャと押えねじの概略断面及び側面図
（ｂ）は（ａ）に示すワッシャを矢印Ａ−Ａ方向に見た概略正面図
【図３】（ａ）、（ｂ）は図１に示す外断熱構造の施工手順を示す概略断面図
【図４】（ａ）、（ｂ）は図１に示す外断熱構造の施工手順を示す概略断面図
【符号の説明】
１　コンクリート壁
２　断熱複合板
２ａ　断熱材
２ｂ　外層材
３　アンカー
４　アンカーボルト
６　ネット
７　ネット固定金具
８　モルタル層
８ａ　下地モルタル層
８ｂ　接着モルタル層
９　タイル
１１　ワッシャ
１２　押えねじ
【図１】
2004044092.tif 000003
【図２】
2004044092.tif 000004
【図３】
2004044092.tif 000005
【図４】
2004044092.tif 000006